(57)【要約】【課題】機器本体を狭所に設置した場合でも、これを設置場所から取り出すことなく操作ノブのポジションを目視確認したり、その操作を適切に行ったりすることのできる電子機器の提供。【解決手段】一端面が操作ノブ１３を配した操作部１Ａとされている機器本体１に、操作部１Ａを覆う開閉自在なカバーパネル２が設けられ、そのカバーパネル２の開放により操作ノブ１３の操作が可能とされる。特に、カバーパネル２の内側の面に操作部１Ａを映すミラー部２１を有する。そして、カバーパネル２を開放したときに該カバーパネル２と機器本体１との間を通してミラー部２１に映された操作部１Ａの射影が外部から視認可能とされている。【選択図】図７
2009164199.tif 000002
【特許請求の範囲】
【請求項１】
一端面が操作ノブを配した操作部とされている機器本体に、前記操作部を覆う開閉自在なカバーパネルが設けられ、そのカバーパネルの開放により前記操作ノブの操作が可能とされるカバーパネル付き電子機器であり、
前記カバーパネルの内側の面に前記操作部を映すミラー部を有し、前記カバーパネルを開放したとき該カバーパネルと前記機器本体との間を通して前記ミラー部に映された操作部の射影が外部から視認可能とされていることを特徴とするカバーパネル付き電子機器。
【請求項２】
前記カバーパネルの内側の面が、該カバーパネルを開放したとき前記機器本体との間を通して前記ミラー部に映された操作部の射影を外部から視認できる角度に設定されていることを特徴とする請求項１記載のカバーパネル付き電子機器。
【請求項３】
開放時のカバーパネルを、前記ミラー部に映された操作部の射影が外部から視認可能となる所定の開度位置に維持するパネル支持手段を備えていることを特徴とする請求項１、又は２記載のカバーパネル付き電子機器。
【請求項４】
前記パネル支持手段により前記カバーパネルが所定の開度位置に維持されるとき、該カバーパネルと前記機器本体との間に指を挿入できる開口隙間が形成されることを特徴とする請求項３記載のカバーパネル付き電子機器。
【請求項５】
前記機器本体もしくは前記カバーパネルに、前記操作部を照らすライト部が設けられていることを特徴とする請求項１〜４のいずれかに記載のカバーパネル付き電子機器。
【請求項６】
前記ミラー部が前記カバーパネルに鍍金を施すことにより形成されていることを特徴とする請求項１〜５のいずれかに記載のカバーパネル付き電子機器。
【請求項７】
一端面が操作ノブを配した操作部とされている機器本体に対し、前記操作部を覆うべく開閉自在に付設される電子機器用カバーパネルであり、
前記機器本体への付設に際して前記操作部側に向けられる内側の面に、前記操作部を映すミラー部が設けられていることを特徴とする電子機器用カバーパネル。
【発明の詳細な説明】
【技術分野】
【０００１】
本発明は、操作部が開閉自在なカバーパネルにより覆われる構成の電子機器に係わり、特に自動車をはじめとする乗り物の座席下や床下といった狭所に機器本体を設置したまま、操作部に配された操作ノブの目視確認や適切な操作を行えるようにした電子機器、及びこれに用いるカバーパネルに関する。
【背景技術】
【０００２】
従来、ディスクプレーヤなどのオーディオ機器やその他の電子機器において、入力信号の増減やＯＮ／ＯＦＦを行う調節器やスイッチ類の操作ノブを配列せしめた操作部を開閉自在なパネル（ドア）で覆うようにしたものが一般に広く知られている（例えば、特許文献１）。
【０００３】
そして、その種の電子機器によれば、操作ノブを操作するときにだけパネルを開放し、それ以外はパネルを閉じて操作ノブが不用意に操作されたり、塵埃による操作部の汚損や体裁が損なわれたりすることを防止することができる。
【０００４】
尚、車載用にしてダッシュボードに組み込めないような大型の電子機器として、例えばオーディオ用アンプやカーナビゲーションシステムの本体（レシーバ）を、座席の下やトランクルームの床下に設置するが一般に広く行われている。
【０００５】
【特許文献１】特開２００６−５９８９２号公報（段落００１６〜００１８、００３０、及び図１）
【発明の開示】
【発明が解決しようとする課題】
【０００６】
ここに、特許文献１に開示されるような電子機器（光ディスクプレーヤ）によれば、パネル（ドア）を閉じて操作部の汚損や不用意な操作を防止することができる。しかし、その種の電子機器を自動車の座席下やトランクルームの床下に設置した場合、ドアを開放しただけでは操作ノブのポジションの確認や適切な操作を行えず、その確認や操作が必要になった時やむを得ず機器本体を設置場所から取り出さなければならなくなることが懸念される。
【０００７】
特に、操作部に多数の操作ノブが配列されているものでは、機器本体を狭所に設置したまま必要な操作ノブを手探りで操作しようとすれば、誤操作を招いてしまう。
【０００８】
本発明は以上のような事情に鑑みて成されたものであり、その目的は機器本体を狭所に設置した場合でも、これを設置場所から取り出すことなく操作ノブのポジションの目視確認や操作を適切に行えるようにすることにある。
【課題を解決するための手段】
【０００９】
本発明は上記の目的を達成するため、
一端面が操作ノブ１３を配した操作部１Ａとされている機器本体１に、操作部１Ａを覆う開閉自在なカバーパネル２が設けられ、そのカバーパネル２の開放により操作ノブ１３の操作が可能とされるカバーパネル付き電子機器であり、
カバーパネル２の内側の面に操作部１Ａを映すミラー部２１を有し、カバーパネル２を開放したとき該カバーパネル２と機器本体１との間を通してミラー部２１に映された操作部１３の射影が外部から視認可能とされていることを特徴とする。
【００１０】
加えて、カバーパネル２の内側の面が、該カバーパネル２を開放したとき機器本体１との間を通してミラー部２１に映された操作部１３の射影を外部から視認できる角度に設定されていることを特徴とする。
【００１１】
又、開放時のカバーパネル２を、ミラー部２１に映された操作部１３の射影が外部から視認可能となる所定の開度位置に維持するパネル支持手段（ロックピン１９）を備えていることを特徴とする。
【００１２】
更に、パネル支持手段によりカバーパネル２が所定の開度位置に維持されるとき、該カバーパネル２と機器本体１との間に指を挿入できる開口隙間Ｇが形成されることを特徴とする。
【００１３】
加えて、機器本体１もしくはカバーパネル２に、操作部１Ａを照らすライト部１６が設けられていること、及びミラー部２１がカバーパネル２に鍍金を施すことにより形成されていることを特徴とする。
【００１４】
又、一端面が操作ノブ１３を配した操作部１Ａとされている機器本体１に対し、操作部１Ａを覆うべく開閉自在に付設される電子機器用カバーパネル２であり、
機器本体１への付設に際して操作部１Ａ側に向けられる内側の面に、操作部１Ａを映すミラー部２１が設けられていることを特徴とする。
【発明の効果】
【００１５】
本発明によれば、操作部を覆うカバーパネルの内側の面に操作部を映すミラー部を有し、カバーパネルを開放したときに該カバーパネルと機器本体との間を通してミラー部に映された操作部の射影が外部から視認可能とされていることから、機器本体を狭所に設置した場合でも、これを設置場所から取り出すことなく、操作ノブのポジションを目視確認したり、ミラー部を見ながら所要の操作ノブを適切に操作したりすることができる。
【００１６】
又、カバーパネルの内側の面が、該カバーパネルを開放したとき前記機器本体との間を通してミラー部に映された操作部の射影を外部から視認できる角度に設定されていることから、カバーパネルを開放するだけで機器本体との間から操作ノブを視認することができる。
【００１７】
特に、開放時のカバーパネルを所定の開度位置に維持するパネル支持手段を備えていることから、カバーパネルの開度をミラー部に映る操作部の射影が最良となる状態に維持することができ、しかもこの際にカバーパネルと機器本体との間に指を挿入できる開口隙間が形成されることから、細長い棒などを使用せずしてミラー部に映された操作ノブの射影を見ながら該操作ノブを指先で適切に操作するこができる。
【００１８】
加えて、操作部を照らすライト部を備えることにより、暗所においても操作部の射影をミラー部に鮮明に映すことができる。
【００１９】
更に、ミラー部がカバーパネルに鍍金を施すことにより形成されることから、歪みがなく反射性の良好な鏡面を容易に形成でき、しかもガラス製ミラーのように衝撃を受けて割れてしまうことがなく、ミラー部を設けることによるカバーパネル全体の重量増も抑制できる。
【発明を実施するための最良の形態】
【００２０】
以下、図面に基づいて本発明を詳しく説明する。図１は本発明に係る電子機器を示した正面図である。図１において、１は箱型の機器本体であり、その一端面（前面）は後述する操作ノブなどを配した操作部１Ａとされている。本例において、係る機器本体１は車載用オーディオシステムとして車室内の座席下やトランクルームの床下（床面を掘り下げた凹部）といった狭所に設置され、車室に設けられるスピーカやダッシュボードに組み込まれる他の電子機器と配線接続される。
【００２１】
又、図１において、２は上記機器本体１の操作部１Ａを覆う開閉自在なカバーパネルである。本例において、係るカバーパネル２は、硬質の合成樹脂から形成される扁平なパネル構造物をパネルベースとし、その表面全体に鍍金（本例において電気鍍金であるが、化学鍍金、溶融鍍金、溶射鍍金、真空蒸着鍍金でもよい）を施した構成とされている。
【００２２】
図２はカバーパネルを背面側（機器本体側）から見た斜視図、図３は同カバーパネルを示した背面図である。これらの図で明らかなように、カバーパネル２の内側の面（上記機器本体１の操作部１Ａに向けられる背面）は、上記の鍍金による金属被膜（本例においてクロム被膜）から成る平滑鏡面状のミラー部２１（平面鏡）とされており、このミラー部２１に光の反射により上記の操作部１Ａが映されるようになっている。
【００２３】
又、図２および図３から明らかなように、カバーパネル２の幅方向両側には、ミラー部２１より突出する左右一対のガイドピン２２と突片２３が設けられる。尚、そのガイドピン２２と突片２３の作用については後述する。
【００２４】
次に、図４はカバーパネルを取り外した機器本体の操作部を示す正面図であり、図５には図１のＸ−Ｘ線における拡大断面を示す。これらの図で明らかなように、操作部１Ａは左右一対の側壁１１で挟まれる凹平面状の盤面１２に複数（図示例において６つ）の操作ノブ１３を配して構成されている。
【００２５】
本例において、それら操作ノブ１３，・・は各種入力信号を増減したり接点の切換を行ったりする回転式の摘みで、その周面には図５から明らかなように回転方向に交差して複数の筋目を形成する滑り止め加工（ローレット加工）が施されている。
【００２６】
特に、操作ノブ１３の外周側の一箇所には、それぞれ回転操作量の基準となるマーク１３Ａが付され、操作部１Ａの盤面１２には各操作ノブ１３の周辺にてマーク１３Ａに対応する目盛１４が付されている。尚、図５において、１５は操作ノブ１３の回転操作量を電気信号に変換するロータリエンコーダである。
【００２７】
一方、操作部１Ａの盤面１２には、操作部１Ａ（操作ノブ１３とその周辺）を照らすライト部１６が設けられる。本例において、ライト部１６は操作ノブ１３の配列方向に沿って設けた複数（図示例において３つ）の発光ダイオード（ＬＥＤ）であり、その各先端は機器本体１の内部から操作部１Ａ側に露出されている。尚、ライト部１６は操作部１Ａを照らして該操作部１Ａが暗所でもミラー部２１に鮮明に映されればよいので、このライト部１６をカバーパネル２に設け、カバーパネル２側から操作部１Ａを照らしてその反射光がミラー部２１に照射されるようにしてもよい。特に、機器本体１にカバーパネル２の開閉を検知するセンサを設け、そのセンサによりカバーパネル２が開放されたことが検知されたとき、ライト部１６が点灯する構成とすることが好ましい。
【００２８】
又、図４および図５から明らかなように、操作部１Ａの側壁１１は上部より下部の突出量が大きい傾斜状とされており、その斜面部１１Ａにはカバーパネル２を閉鎖状態に固定する図４のようなロック孔１７が穿設されている。
【００２９】
尚、図６に示すように、ロック孔１７内にはゴム製のブッシュ１８が設けられ、そのブッシュ１８に対し、カバーパネル２に設けた上記ガイドピン２２が圧入するようになっている。そして、カバーパネル２で操作部１Ａを覆うべくガイドピン２２をロック孔１７に挿入してカバーパネル２を閉じたとき、ガイドピン２２に対するブッシュ１８の弾性締付力にてカバーパネル２が閉鎖状態に維持され、ブッシュ１８の弾性締付力に抗してカバーパネル２の上端をロック孔１７に対するガイドピン２２の引き抜き方向に押圧することによりカバーパネル２の開放が可能とされている。
【００３０】
又、図４および図５に示されるように、両側壁１１，１１の相対向する下部側面には、カバーパネル２を所定の開度位置に維持するパネル支持手段として、上記の突片２３に対応する位置にロックピン１９が突設され、そのロックピン１９がカバーパネル２の開放時に突片２３に干渉することでカバーパネル２の開度が制限されるようになっている。
【００３１】
ここで、本発明に係る電子機器の作用について説明する。図７において、Ｎは例えば自動車のトランクルームの床下に形成される凹部であり、機器本体１はその凹部Ｎ内にカバーパネル２の開閉可動域を残して設置される。
【００３２】
そして、操作ノブ１３のポジションを確認したり、それを操作したりする必要が生じた場合にカバーパネル２を開放するのであり、このときカバーパネル２は、最初にブッシュ１８に対してガイドピン２２が抜ける方向に移動し、次いでガイドピン２２の先端によりブッシュ１８が変形されながらカバーパネル２がその下縁を支点に操作部１Ａから離間する方向に回動するようになる。そして、突片２３がロックピン１９に突き当たった位置でカバーパネル２が最大開度状態（所定の開度位置）となって停止し、このときカバーパネル２の上部には操作部１Ａとの間に開口隙間Ｇが形成される。この開口隙間Ｇを、指を操作ノブ１３に届かせる位置まで挿入できる広さを有するものとすれば、操作ノブ１３のポジションを目視確認するに留まらず、指先を操作ノブ１３に当ててその操作を適切に行うことが可能となる。
【００３３】
特に、カバーパネル２が所定の開度位置まで開放されたとき、カバーパネル２のミラー部２１には操作部１Ａが映り、その射影（操作ノブ１３、マーク１３Ａ、ならびに目盛１４の形や色）が開口隙間Ｇを通じて外部斜め上方から視認可能とされる。尚、操作部１Ａはライト部１６により照らされるので、暗所においてもミラー部２１に操作部１Ａを鮮明に映すことができる。従って、所望の操作ノブ１３の外周部に指先を当て、ミラー部２１に映ったマーク１３Ａや目盛１４を見ながら同操作ノブ１３を適切に操作することができる。
【００３４】
以上、本発明に係る電子機器について説明したが、操作ノブ１３は上記例にように回転操作されるものに限らず、スライド式や押圧式のものでもよい。又、ライト部１６を上記のようにカバーパネル２に設けるようにしたり、カバーパネル２を機器本体１に対して図示せぬヒンジで開閉自在に連結したりしてもよい。特に、カバーパネル２と機器本体１との上部をヒンジ結合して下部開放型のカバーパネル２としてもよく、これによれば機器本体１を室内天井面などの高所に設置した場合でも、カバーパネル２を開放してミラー部２１に映された操作ノブ１３の射影を見ながらその操作を行うことができる。尚、カバーパネル２は回転移動する態様に限らず、操作部１Ａに対して平行移動する態様でもよい。
【００３５】
ここで、カバーパネル２の内側の面（ミラー部２１）は、カバーパネル２を開放したとき開口隙間Ｇを通してミラー部２１に映された操作部１Ａの射影を視認できる角度に設定されていればよく、回転移動形のカバーパネル２では開放時において操作部１Ａの盤面１２に対し２０〜４０度となるよう設定され、平行移動形のカバーパネルでは開放時においてその移動方向に直角となる面に対し２０〜４０度に設定される。
【００３６】
更に、ミラー部２１は、カバーパネル２に鍍金を施して形成することに限らず、カバーパネル２に塗装を施すことにより形成したり、鏡面仕上げした金型を用いてカバーパネル２の内側の面を鏡面仕上げされたミラー部２１としてカバーパネル２と一体成形したりすることができる。そのほか、ミラー部２１として、カバーパネル２の内側の面に、ガラス製ミラーを接着剤などで固定したり、鏡面状の反射シールを貼付したりしてもよい。
【図面の簡単な説明】
【００３７】
【図１】本発明に係るカバーパネル付き電子機器を示す正面図
【図２】本発明に係るカバーパネルを背面側からみた斜視図
【図３】同カバーパネルの背面図
【図４】カバーパネルを取り外した機器本体の正面図
【図５】図１のＸ−Ｘ線における部分拡大断面図
【図６】操作部の一端側の断面図
【図７】操作ノブを操作するときの使用態様を示す説明図
【符号の説明】
【００３８】
１  機器本体
１Ａ  操作部
１３  操作ノブ
１３Ａ  マーク
１４  目盛
１６  ライト部
１９  ロックピン（開度制限手段）
２  カバーパネル
２１  ミラー部
【図１】
2009164199.tif 000003
【図２】
2009164199.tif 000004
【図３】
2009164199.tif 000005
【図４】
2009164199.tif 000006
【図５】
2009164199.tif 000007
【図６】
2009164199.tif 000008
【図７】
2009164199.tif 000009